(57)【特許請求の範囲】
【請求項１】
コンテンツを再生するコンテンツ再生装置であって、
リモコンが備える第１の操作キー、第２の操作キー、第３の操作キー、及び第４の操作キーを介した操作入力を受け付ける操作入力部と、
前記操作入力部により受け付けられた前記第１の操作キー及び前記第２の操作キーを介した操作入力に基づいて、前記コンテンツの再生態様が等しく、かつ前記コンテンツ内の移動量又は移動速度が異なる第１の特殊再生モード及び第２の特殊再生モードを含む複数の特殊再生モードのうち、いずれかの特殊再生モードを選択する特殊再生モード選択部と、
前記操作入力部により受け付けられた前記第３の操作キー及び前記第４の操作キーを介した操作入力に基づいて、特殊再生モードの実行方向を選択する実行方向選択部と、
前記特殊再生モード選択部により選択された特殊再生モードにおいて、前記実行方向選択部によって選択された実行方向で前記コンテンツを再生するコンテンツ再生部と、
前記操作入力部により受け付けられた前記第１の操作キー及び前記第２の操作キーを介した操作入力に基づいて、コンテンツ間を移動するコンテンツ移動モード、又は前記複数のコンテンツにより構成されるプレイリスト間を移動するプレイリスト移動モードを選択するコンテンツ選択処理部を含み、
前記コンテンツ選択処理部は、
前記操作入力部により受け付けられた前記第３の操作キー及び前記第４の操作キーを介した操作入力に基づいて、前記コンテンツ移動モードにおいて複数のコンテンツの１つ、又は前記プレイリスト移動モードにおいて複数のプレイリストの１つを選択することを特徴とするコンテンツ再生装置。
【請求項２】
請求項１において、
前記第１の特殊再生モードは、第１の移動量に対応する第１のスキップ移動モードであり、前記第２の特殊再生モードは、第１の移動量とは異なる第２の移動量に対応する第２のスキップ移動モードであることを特徴とするコンテンツ再生装置。
【請求項３】
請求項１又は２において、
前記第１の操作キーは、第１の方向を指示するための第１の方向キーであり、前記第２の操作キーは、前記第１の方向と反対方向の第２の方向を指示するための第２の方向キーであり、
前記第３の操作キーは、前記第１の方向と交差する第３の方向を指示するための第３の方向キーであり、前記第４の操作キーは、前記第３の方向と反対方向の第３の方向を指示するための第４の方向キーであることを特徴とするコンテンツ再生装置。
【請求項４】
請求項３において、
前記第１の方向は上方向であり、前記第２の方向は下方向であり、
前記第３の方向は左方向であり、前記第４の方向は右方向であることを特徴とするコンテンツ再生装置。
【請求項５】
請求項４において、
前記特殊再生モード選択部は、
前記第１の操作キーを介した操作入力のたびに、前記移動量が大きく、又は前記移動速度が速い特殊再生モードを選択して決定し、
前記第２の操作キーを介した操作入力のたびに、前記移動量が小さく、又は前記移動速度が遅い特殊再生モードを選択して決定することを特徴とするコンテンツ再生装置。
【請求項６】
請求項１乃至５のいずれか一項に記載のコンテンツ再生装置と、
前記コンテンツ再生装置によって再生される前記コンテンツを表示する表示部と、を含むことを特徴とする表示装置。
【請求項７】
リモコンが備える第１の操作キー、第２の操作キー、第３の操作キー、及び第４の操作キーを介した操作入力を受け付ける操作入力部と、
前記操作入力部によって受け付けられた操作入力に応じてコンテンツを再生するコンテンツ再生部とを含むコンテンツ再生装置におけるコンテンツ再生方法であって、
前記操作入力部により受け付けられた前記第１の操作キー及び前記第２の操作キーを介した操作入力に基づいて、前記コンテンツの再生態様が等しく、かつ前記コンテンツ内の移動量又は移動速度が異なる第１の特殊再生モード及び第２の特殊再生モードを含む複数の特殊再生モードのうち、いずれかの特殊再生モードを選択して決定する特殊再生モード選択ステップと、
前記操作入力部により受け付けられた前記第３の操作キー及び前記第４の操作キーを介した操作入力に基づいて、特殊再生モードの実行方向を選択する実行方向選択ステップと、
前記特殊再生モード選択ステップにおいて決定された特殊再生モードにおいて、前記実行方向選択ステップにおいて選択された実行方向で前記コンテンツを再生するコンテンツ再生ステップと、
前記操作入力部により受け付けられた前記第１の操作キー及び前記第２の操作キーを介した操作入力に基づいて、コンテンツ間を移動するコンテンツ移動モード、又は前記複数のコンテンツにより構成されるプレイリスト間を移動するプレイリスト移動モードを選択するコンテンツ選択ステップとを含み
前記コンテンツ選択ステップは、
前記操作入力部により受け付けられた前記第３の操作キー及び前記第４の操作キーを介した操作入力に基づいて、前記コンテンツ移動モードにおいて複数のコンテンツの１つ、又は前記プレイリスト移動モードにおいて複数のプレイリストの１つを選択することを特徴とするコンテンツ再生方法。
【発明の詳細な説明】
【技術分野】
【０００１】
本発明は、コンテンツ再生装置、表示装置及びコンテンツ再生方法等に関する。
【背景技術】
【０００２】
従来、ＤＶＤ（Digital Versatile Disk）再生プレーヤーや音楽再生プレーヤー等のコンテンツ再生装置は、通常再生機能以外に、早送りや巻き戻し、再生位置を瞬時に移動させるスキップ移動等の特殊再生機能を有する。また、近年、コンテンツ再生装置は、複数のコンテンツの再生が可能となっており、別のコンテンツの通常再生や特殊再生をユーザーがリモートコントローラー（以下、リモコン）等を介して指示することができる。このようなコンテンツ再生装置の多機能化に伴い、ユーザーが指示可能な機能が増えることによりリモコンが備える操作キーが増え、ユーザーインターフェースが複雑化している。そのため、一般的なユーザーにとっては操作キーによる指示が煩わしくなる上に、製品のコストアップにつながるという問題がある。
【０００３】
このようなコンテンツ再生装置に対するリモコンの操作キーを用いた特殊再生等の指示の簡略化を図る技術が、種々提案されている。例えば、特許文献１には、上方向キーを、通常再生モード及び各種トリックプレイモードのモード間の切り替えに兼用し、左方向キー及び右方向キーを、各種トリックプレイモードにおけるパラメーターの指定に兼用するようにした技術が開示されている。
【先行技術文献】
【特許文献】
【０００４】
【特許文献１】特開２００６−３２３９１０号公報
【発明の概要】
【発明が解決しようとする課題】
【０００５】
しかしながら、特許文献１に開示された技術では、上方向キー、左方向キー、又は右方向キーによりモード又はパラメーターを指定した後、所定時間が経過したとき、又は決定キーが操作されたとき、操作内容が決定される（特許文献１の段落００９２参照）。従って、ユーザーの操作内容が実行されるまでに待ち時間が生じ、ユーザーにとって煩わしく感じ、操作性の低下を招くという問題がある。
【０００６】
また、特許文献１に開示された技術では、一律に、左方向キー及び右方向キーにより各種トリックプレイモードにおけるパラメーターを指定する。そのため、例えばユーザーにいち早く移動先のシーンを見せるためのスキップ移動の際にも、その移動量を左方向キー及び右方向キーにより指定する必要があり、スキップ移動の本来の目的を果たせず、ユーザーにとって操作性の低下を招くという問題がある。
【０００７】
本発明は、以上のような技術的課題に鑑みてなされたものである。本発明の幾つかの態様によれば、操作性の低下を招くことなく、より少ない操作キーで特殊再生機能の実行が可能なコンテンツ再生装置、表示装置及びコンテンツ再生方法等を提供することができる。
【課題を解決するための手段】
【０００８】
（１）本発明の第１の態様は、コンテンツを再生するコンテンツ再生装置が、リモコンが備える第１の操作キー、第２の操作キー、第３の操作キー、及び第４の操作キーを介した操作入力を受け付ける操作入力部と、前記操作入力部により受け付けられた前記第１の操作キー及び前記第２の操作キーを介した操作入力に基づいて、前記コンテンツの再生態様が等しく、かつ前記コンテンツ内の移動量又は移動速度が異なる第１の特殊再生モード及び第２の特殊再生モードを含む複数の特殊再生モードのうち、いずれかの特殊再生モードを選択する特殊再生モード選択部と、前記操作入力部により受け付けられた前記第３の操作キー及び前記第４の操作キーを介した操作入力に基づいて、特殊再生モードの実行方向を選択する実行方向選択部と、前記特殊再生モード選択部により選択された特殊再生モードにおいて、前記実行方向選択部によって選択された実行方向で前記コンテンツを再生するコンテンツ再生部とを含む。
【０００９】
本態様においては、特殊再生モード選択部においてリモコンが備える第１の操作キー及び第２の操作キーを介した操作入力に基づいて、コンテンツの再生態様が等しく、かつコンテンツ内の移動量又は移動速度が異なる複数の特殊再生モードの１つを選択するようにした。また、実行方向選択部において、リモコンが備える第３の操作キー及び第４の操作キーを介した操作入力に基づいて、特殊再生モードの実行方向を選択するようにした。これにより、第１の操作キー〜第４の操作キーの４つの操作キーを介したユーザーの操作入力により、瞬時に特殊再生モードの指定が可能となり、操作性の低下を招くことなく、リモコンが備える少ない操作キーで特殊再生機能の実行を実現することができるようになる。
【００１０】
（２）本発明の第２の態様に係るコンテンツ再生装置は、第１の態様において、前記操作入力部により受け付けられた前記リモコンが備える第１の操作キー及び前記第２の操作キーを介した操作入力に基づいて、コンテンツ間を移動するコンテンツ移動モード、又は前記複数のコンテンツにより構成されるプレイリスト間を移動するプレイリスト移動モードを選択するコンテンツ選択処理部を含み、前記コンテンツ選択処理部は、前記操作入力部により受け付けられた前記リモコンが備える第３の操作キー及び前記第４の操作キーを介した操作入力に基づいて、前記コンテンツ移動モードにおいて複数のコンテンツの１つ、又は前記プレイリスト移動モードにおいて複数のプレイリストの１つを選択する。
本態様によれば、コンテンツ選択処理部により、リモコンが備える第１の操作キー及び第２の操作キーを介した操作入力に基づいて、コンテンツ間を移動するコンテンツ移動モード、又はプレイリスト移動モードを選択するようにした。そして、コンテンツ選択処理部は、リモコンが備える第３の操作キー及び第４の操作キーを介した操作入力に基づいて、複数のコンテンツの１つ、又は複数のプレイリストの１つを選択するようにした。これにより、操作性の低下を招くことなく、リモコンが備える少ない操作キーで、特殊再生モードの指定のみならず、コンテンツ間の移動や、プレイリスト間の移動を実現することができるようになる。
【００１１】
（３）本発明の第３の態様に係るコンテンツ再生装置では、第１の態様又は第２の態様において、前記第１の特殊再生モードは、第１の移動量に対応する第１のスキップ移動モードであり、前記第２の特殊再生モードは、第１の移動量とは異なる第２の移動量に対応する第２のスキップ移動モードである。
本態様によれば、特殊再生モードとして、移動量が互いに異なる第１のスキップ移動モード及び第２のスキップ移動モードのいずれかを、第１の操作キー及び第２の操作キーにより指定することができるようにした。これにより、上記の効果に加えて、移動量を新たに指定することなく、いち早くユーザーに移動先のシーンを見せることができるようになる。
【００１２】
（４）本発明の第４の態様に係るコンテンツ再生装置では、第１の態様乃至第３の態様のいずれかにおいて、前記第１の操作キーは、第１の方向を指示するための第１の方向キーであり、前記第２の操作キーは、前記第１の方向と反対方向の第２の方向を指示するための第２の方向キーであり、前記第３の操作キーは、前記第１の方向と交差する第３の方向を指示するための第３の方向キーであり、前記第４の操作キーは、前記第３の方向と反対方向の第３の方向を指示するための第４の方向キーである。
本態様によれば、４方向のいずれかを指示しするための方向キーを介したユーザーの操作入力により、瞬時に特殊再生モードの指定が可能となり、操作性の低下を招くことなく、より少ない操作キーで特殊再生機能の実行を実現することができるようになる。
【００１３】
（５）本発明の第５の態様に係るコンテンツ再生装置では、第４の態様において、前記第１の方向は上方向であり、前記第２の方向は下方向であり、前記第３の方向は左方向であり、前記第４の方向は右方向である。
本態様によれば、第１の操作キーを上方向キー、第２の操作キーを下方向キー、第３の操作キーを左方向キー、第４の操作キーを右方向キーに割り当てるようにしたので、特殊再生モードの実行方向を左右の方向で判断することができるようになる。これにより、ユーザーは、直感的に特殊再生機能の指示を行うことができるようになる。
【００１４】
（６）本発明の第６の態様に係るコンテンツ再生装置では、第５の態様において、前記特殊再生モード選択部は、前記第１の操作キーを介した操作入力のたびに、前記移動量が大きく、又は前記移動速度が速い特殊再生モードを選択して決定し、前記第２の操作キーを介した操作入力のたびに、前記移動量が小さく、又は前記移動速度が遅い特殊再生モードを選択して決定する。
本態様によれば、第１の操作キー又は第２の操作キーにより、コンテンツ内の移動量又は移動速度を上下の方向で判断することができるようになる。これにより、ユーザーは、直感的に特殊再生機能の指示を行うことができるようになる。
【００１５】
（７）本発明の第７の態様は、表示装置が、第１の態様乃至第６の態様のいずれかに記載のコンテンツ再生装置と、前記コンテンツ再生装置によって再生される前記コンテンツを表示する表示部とを含む。
【００１６】
本態様によれば、第１の操作キー〜第４の操作キーの４つの操作キーを介したユーザーの操作入力により、瞬時に特殊再生モードの指定が可能となる。これにより、操作性の低下を招くことなく、より少ない操作キーで特殊再生機能の実行が可能な表示装置を提供することができるようになる。
【００１７】
（８）本発明の第８の態様は、リモコンが備える第１の操作キー、第２の操作キー、第３の操作キー、及び第４の操作キーを介した操作入力を受け付ける操作入力部と、前記操作入力部によって受け付けられた操作入力に応じてコンテンツを再生するコンテンツ再生部とを含むコンテンツ再生装置におけるコンテンツ再生方法が、前記操作入力部により受け付けられた前記第１の操作キー及び前記第２の操作キーを介した操作入力に基づいて、前記コンテンツの再生態様が等しく、かつ前記コンテンツ内の移動量又は移動速度が異なる第１の特殊再生モード及び第２の特殊再生モードを含む複数の特殊再生モードのうち、いずれかの特殊再生モードを選択して決定する特殊再生モード選択ステップと、前記操作入力部により受け付けられた前記第３の操作キー及び前記第４の操作キーを介した操作入力に基づいて、特殊再生モードの実行方向を選択する実行方向選択ステップと、前記特殊再生モード選択ステップにおいて決定された特殊再生モードにおいて、前記実行方向選択ステップにおいて選択された実行方向で前記コンテンツを再生するコンテンツ再生ステップと、前記操作入力部により受け付けられた前記第１の操作キー及び前記第２の操作キーを介した操作入力に基づいて、コンテンツ間を移動するコンテンツ移動モード、又は前記複数のコンテンツにより構成されるプレイリスト間を移動するプレイリスト移動モードを選択するコンテンツ選択ステップとを含み、前記コンテンツ選択ステップは、前記操作入力部により受け付けられた前記第３の操作キー及び前記第４の操作キーを介した操作入力に基づいて、前記コンテンツ移動モードにおいて複数のコンテンツの１つ、又は前記プレイリスト移動モードにおいて複数のプレイリストの１つを選択するを含むことを特徴とする。
【００１８】
本態様によれば、リモコンが備える第１の操作キー及び第２の操作キーを介した操作入力に基づいて、コンテンツの再生態様が等しく、かつコンテンツ内の移動量又は移動速度が異なる複数の特殊再生モードの１つを選択するようにした。また、リモコンが備える第３の操作キー及び第４の操作キーを介した操作入力に基づいて、特殊再生モードの実行方向を選択するようにした。さらに、リモコンが備える第１の操作キー及び第２の操作キーを介した操作入力に基づいて、コンテンツ間を移動するコンテンツ移動モード、又はプレイリスト移動モードを選択するようにした。そして、リモコンが備える第３の操作キー及び第４の操作キーを介した操作入力に基づいて、複数のコンテンツの１つ、又は複数のプレイリストの１つを選択するようにした。これにより、リモコンが備える第１の操作キー〜第４の操作キーの４つの操作キーを介したユーザーの操作入力により、瞬時に特殊再生モードの指定が可能となり、操作性の低下を招くことなく、リモコンが備える少ない操作キーで特殊再生機能の実行を実現することができるようになる。
【図面の簡単な説明】
【００１９】
【図１】本発明の一実施形態に係るコンテンツ再生装置の構成例のブロック図。
【図２】図１のリモコンの構成例の概要を示す図。
【図３】本実施形態におけるモードの説明図。
【図４】本実施形態における上下左右の方向キー、及び決定キーの説明図。
【図５】本実施形態における状態番号の説明図。
【図６】本実施形態における速度番号の説明図。
【図７】状態番号と速度番号とにより規定される特殊再生モードの説明図。
【図８】本実施形態のコンテンツ再生装置の処理例のフロー図。
【図９】図８のステップＳ１０の右方向キー処理の処理例のフロー図。
【図１０】図８のステップＳ２０の左方向キー処理の処理例のフロー図。
【図１１】図８のステップＳ３０の上方向キー処理の処理例のフロー図。
【図１２】図８のステップＳ４０の下方向キー処理の処理例のフロー図。
【図１３】本実施形態におけるコンテンツ再生装置の第１の動作説明図。
【図１４】本実施形態におけるコンテンツ再生装置の第２の動作説明図。
【図１５】本実施形態の第１の変形例におけるリモコンの構成例の概要を示す図。
【図１６】図１６（Ａ）は、本実施形態の第２の変形例における電話タイプのテンキーを有するリモコンを上面から見た構成を示す図。図１６（Ｂ）は、本実施形態の第２の変形例におけるＰＣタイプのテンキーを有するリモコンを上面から見た構成を示す図。
【発明を実施するための形態】
【００２０】
以下、本発明の実施の形態について図面を用いて詳細に説明する。なお、以下に説明する実施の形態は、特許請求の範囲に記載された本発明の内容を不当に限定するものではない。また以下で説明される構成のすべてが本発明の課題を解決するために必須の構成要件であるとは限らない。
【００２１】
図１に、本発明の一実施形態に係るコンテンツ再生装置の構成例のブロック図を示す。図１は、コンテンツ保存部に保存されたコンテンツを再生するコンテンツ再生装置の構成例を表す。
コンテンツ再生装置１００は、コンテンツ保存部１１０と、操作入力部１２０と、コンテンツ選択処理部１３０と、特殊再生モード選択部１４０と、実行方向選択部１５０と、コンテンツ再生部１６０と、特殊再生処理部１７０とを備えている。また、コンテンツ再生装置１００は、画像生成部１８０と、音声生成部１９０とを備えている。更に、コンテンツ再生装置１００は、リモコン１２６を備え、操作入力部１２０は、受信部１２２と、操作パネル（操作部）１２４とを備えている。コンテンツ再生装置１００には、表示部２００と、スピーカー２１０とが接続されている。
【００２２】
コンテンツ保存部１１０には、１又は複数のコンテンツファイルが保存される。各コンテンツファイルは、コンテンツ再生装置１００において再生される１又は複数のコンテンツに対応した再生データを有する。コンテンツファイルには、動画を表すデータ、１又は複数の静止画を表すデータ、又は音声を表すデータ等が含まれる。以下の説明では、主にコンテンツファイルが動画を表すデータであり、コンテンツ再生装置１００が動画を再生する場合について説明する。コンテンツ保存部１１０の機能は、コンテンツ再生装置１００に着脱可能なＤＶＤ等の記憶媒体や、ハードディスクドライブ（Hard Disk Drive）装置等の記憶デバイスによって実現される。なお、コンテンツ保存部１１０は、コンテンツ再生装置１００の内部に設けられても良く、外部に設けられてもよい。コンテンツ再生装置１００の外部に設けられる場合、コンテンツ保存部１１０としてＵＳＢメモリー等の可搬な記憶媒体を用いることができる。
【００２３】
操作入力部１２０は、操作パネル１２４又はリモコン１２６を介したユーザーの操作入力を受け付ける。操作パネル１２４は、コンテンツ再生装置１００の筐体に設けられた複数の操作キーを有しており、ユーザーにより例えば押下されることにより操作された操作キーに対応した操作信号に基づいて、ユーザーの操作入力を受け付ける。リモコン１２６は、各々が操作パネル１２４の操作キーに対応する複数の操作キーを有しており、ユーザーにより例えば押下されることにより操作された操作キーに対応するキーコードを出力する。受信部１２２は、リモコン１２６からのキーコードを受信し、リモコン１２６を介したユーザーの操作入力を受け付ける。操作パネル１２４は、ユーザーの操作入力を受け付ける操作部として機能する。また、リモコン１２６及び受信部１２２も、操作パネル１２４と同様に操作部として機能する。
【００２４】
本実施形態では、リモコン１２６が有する５つの操作キー（具体的には、上下左右の方向キー、及び決定キー）を介したユーザーの操作入力により、通常再生モードや特殊再生モードの指定、所望のコンテンツやプレイリストの指定を実現する。
【００２５】
図２に、図１のリモコン１２６の構成例の概要を示す。図２は、リモコン１２６を上面から見た構成を模式的に表している。
リモコン１２６は、操作キーとして、電源キーＰＯＦと、上下左右の方向キーＵＰ,ＤＮ,ＬＦ,ＲＴと、決定キーＣＫとを有している。電源キーＰＯＦは、コンテンツ再生装置１００の電源のオン又はオフを指示するための操作キーである。上方向キーＵＰ（第１の操作キー）は、上方向（第１の方向）を指示するための方向キーである。下方向キーＤＮ（第２の操作キー）は、下方向（第１の方向と反対方向の第２の方向）を指示するための方向キーである。左方向キーＬＦ（第３の操作キー）は、左方向（第１の方向と直交（交差）する第３の方向）を指示するための方向キーである。右方向キーＲＴ（第４の操作キー）は、右方向（第３の方向と反対方向の第４の方向）を指示するための方向キーである。なお、リモコン１２６は、図２に示す操作キー以外に、例えば音量調整用の操作キー等を備えていてもよい。
【００２６】
コンテンツ再生装置１００は、コンテンツの通常再生を行う通常再生モード以外に、複数の特殊再生モードでコンテンツの再生を行うことができる。ここで「特殊再生モード」とはコンテンツの特殊再生を行うことができるモードである。また「通常再生」とは、ユーザーがコンテンツを鑑賞する際の通常の再生速度（移動速度）でコンテンツを再生することを指すものとする。一方「特殊再生」とは、早送りや巻き戻し、再生位置を瞬時に移動させるスキップ移動等の、通常再生とは異なる再生態様でコンテンツを再生することを指すものとする。また「再生態様」とは、コンテンツを再生する際の態様である。例えば本実施形態においては、早送り、巻き戻し及び逆方向の再生等は、「通常再生とは異なる再生速度でコンテンツを順方向又は逆方向に再生する」という点で共通しているため、本実施形態においては同一の再生態様（トリックプレイ）であるものとする。また本実施形態では、トリックプレイ及びスキップ移動はそれぞれ異なる再生態様であるものとする。なお以下の説明では、逆方向の再生を行う場合の再生速度は「−」の符号を用いて表す（例えば、通常再生の再生速度を「１倍」として、１倍の速度で逆方向の再生を行う場合の移動速度は「−１倍」とする）。さらに特殊再生モードでは、コンテンツ内での移動を行うことが可能であるが、あるモードにおいて１回の操作で、又は一定時間内に移動できる度合いを「移動単位」とする。例えば２倍速の早送り再生に対応する特殊再生モードでは、再生速度である「２倍」が移動単位である。また、１５秒のスキップ移動に対応する特殊再生モードでは、移動量である「１５秒」が移動単位である。このように、各特殊再生モードにおけるコンテンツ内の移動量又は移動速度を移動単位とする。特に、特殊再生モードにおける移動単位を「特殊再生単位」と称する。
【００２７】
本実施形態においては、複数の特殊再生モードに、再生態様が等しく、かつ移動単位が異なる２以上の特殊再生モードが含まれるものとする。具体的に、本実施形態においては、３０秒のスキップ移動に対応する特殊再生モードと、１５秒のスキップ移動に対応する特殊再生モードは、それぞれ異なる特殊再生モードであるものとして区別する。一方で、本実施形態において、再生態様がトリックプレイであれば、移動速度の大きさに関わらず、同一の特殊再生モード（トリックプレイモード）であるものとする。具体的に、本実施形態においては、２倍速の早送り再生と、４倍速の早送り再生は、いずれもトリックプレイモードに含まれるものとする。このとき、上方向キーＵＰ及び下方向キーＤＮに、移動量又は移動速度の降順又は昇順に並べた複数の特殊再生モードの中の１つを選択して決定する機能を兼用させる。
【００２８】
また、本実施形態では、通常再生モード、及び特殊再生モード以外のモードとして、コンテンツ移動モード、及びプレイリスト移動モードを定義する。そして、上方向キーＵＰ及び下方向キーＤＮに、上記の複数の特殊再生モードに加えて、コンテンツ移動モード及びプレイリスト移動モードの中の１つを選択する機能を兼用させる。なおコンテンツ移動モードでは、あるコンテンツから別のコンテンツへの移動（コンテンツ間の移動）が行われ、及びプレイリスト移動モードでは、あるコンテンツのグループ（プレイリスト）から別のコンテンツのグループへの移動(プレイリスト間の移動)が行われる。ここで、コンテンツ移動モードでは、１又は２以上のコンテンツを移動単位とすることができる。また、プレイリスト移動モードでは、１又は２以上のプレイリストを移動単位とすることができる。
【００２９】
更に、本実施形態では、左方向キーＬＦ及び右方向キーＲＴに、上記のように決定された特殊再生モードの実行方向（再生方向）を選択して決定する機能を兼用させる。
更にまた、本実施形態では、左方向キーＬＦ及び右方向キーＲＴに、コンテンツ移動モードにおいてコンテンツの１つ、又はプレイリスト移動モードにおいてプレイリストの１つを選択する機能を兼用させる。
更にまた、決定キーＣＫに、選択したコンテンツ又はプレイリストを決定する機能を兼用させる。
なお、後述のトリックプレイやスロー再生等の所定の特殊再生モードにおいては、左方向キーＬＦ及び右方向キーＲＴにより、コンテンツ内の移動量又は移動速度を選択して決定する機能を兼用させる。
【００３０】
図３に、本実施形態におけるコンテンツ再生装置１００のモードの説明図を示す。
本実施形態におけるコンテンツ再生装置１００のモードは、大きく区分すると、プレイリスト移動モード、コンテンツ移動モード、チャプター移動モード、シーン移動モード、スキップ移動モード、トリックプレイモード、スロー再生モード、停止モードを含む。これらのモードのうち、チャプター移動モード、シーン移動モード、スキップ移動モード、トリックプレイモード及びスロー再生モードが特殊再生モードに対応している。上記のモードの各々は、１度の操作入力による選択対象の移動単位が互いに異なる。通常再生モードが１倍速のトリックプレイであると考えると、図３のトリックプレイモードに含めてもよい。図３では、プレイリスト移動モード、コンテンツ移動モード、チャプター移動モード、シーン移動モード、スキップ移動モード、トリックプレイモード、スロー再生モード、停止モードの順番で、移動単位が小さくなるように階層化されている。
【００３１】
プレイリスト移動モードにおいては、あるプレイリストから別のプレイリストへの移動が行われる。つまり、プレイリスト移動モードにおける選択対象の移動単位は「プレイリスト」となる。なおプレイリストは、複数のコンテンツにより構成される。
コンテンツ移動モードにおいては、あるコンテンツから別のコンテンツへの移動が行われる。コンテンツ移動モードにおける選択対象の移動単位は「コンテンツ」となる。なおコンテンツは、複数のチャプター又はシーンにより構成される。
チャプター移動モードにおいては、あるチャプターから別のチャプターへの移動が行われる。つまり、チャプター移動モードにおける選択対象の移動単位は「チャプター」となる。なおチャプターは、予め設定されたチャプター情報により１つのコンテンツ内に複数設けられる。
シーン移動モードにおいては、あるシーンから別のシーンへの移動が行われる。シーン移動モードにおける選択対象の移動単位は「シーン」となる。なおシーンは、１つのコンテンツ内に複数設けられる。
スキップ移動モードにおいては、１つのコンテンツ内において、現在の再生時刻から別の再生時刻へ、指定時間だけ瞬時に移動する。つまりスキップ移動モードにおける選択対象の移動単位は「指定時間」となる。本実施形態では、指定時間が異なる複数のスキップ移動モードとして、スキップ３０秒移動モード（第１の特殊再生モード）、スキップ１５秒移動モード（第２の特殊再生モード）が設けられている。ここで、スキップ３０秒移動モード及びスキップ１５秒移動モードは、コンテンツの再生態様が等しく、かつコンテンツ内の移動量又は移動速度が異なる。また、スキップ３０秒移動モードは第１の移動量（３０秒）に対応する第１のスキップ移動モードである。一方、スキップ１５秒移動モードは、第１の移動量とは異なる第２の移動量（１５秒）に対応する第２のスキップ移動モードである。
トリックプレイモードにおいては、トリックプレイ（早送り、早戻し、逆方向の再生等）が行われる。トリックプレイモードの実行方向及び速度は、左方向キーＬＦ及び右方向キーＲＴにより変更が可能である。
スロー再生モードにおいては、スロー再生（順方向のスロー再生、逆方向のスロー再生）が行われる。スロー再生モードの実行方向及び速度は、左方向キーＬＦ及び右方向キーＲＴにより変更が可能である。
なお、停止モードでは、コンテンツの再生と、コンテンツの再生の停止とを繰り返す。
【００３２】
図４に、本実施形態における上下左右の方向キーＵＰ,ＤＮ,ＬＦ,ＲＴ、及び決定キーＣＫの説明図を示す。
上方向キーＵＰは、公知の上方向キーの機能に加えて、コンテンツ再生装置１００のモードを切り替える機能を有する。上方向キーＵＰによる操作入力のたびに、移動単位が大きいモードに切り替えられる。具体的には、上方向キーＵＰによる操作入力のたびに、コンテンツ内の移動量が大きく、又はコンテンツ内の移動速度が速いモードに切り替えられる。コンテンツ内の最大移動量であるチャプター移動モードが選択されているときに、上方向キーＵＰによる操作入力を行うと、コンテンツ移動モード、プレイリスト移動モードの順番で切り替えられる。このように、上方向キーＵＰによる操作入力のたびに、１段階だけ移動単位が粗い（大きい）モードに切り替えられる。
【００３３】
下方向キーＤＮは、公知の下方向キーの機能に加えて、コンテンツ再生装置１００のモードを切り替える機能を有する。下方向キーＤＮによる操作入力のたびに、移動単位が小さいモードに切り替えられる。具体的には、下方向キーＤＮによる操作入力のたびに、コンテンツ内の移動量が小さく、又はコンテンツ内の移動速度が遅いモードに切り替えられる。移動単位が最大のプレイリスト移動モードが選択されているときに、下方向キーＤＮによる操作入力を行うと、コンテンツ移動モード、チャプター移動モードの順番で切り替えられる。このように、下方向キーＤＮによる操作入力のたびに、１段階だけ移動単位が細かい（小さい）モードに切り替えられる。
【００３４】
左方向キーＬＦは、公知の左方向キーの機能に加えて、現在の特殊再生単位で実行方向を過去方向（逆方向、コンテンツを再生する方向とは逆の方向）に切り替える機能を有する。
右方向キーＲＴは、公知の右方向キーの機能に加えて、現在の特殊再生単位で実行方向を未来方向（順方向、コンテンツを再生する方向）に切り替える機能を有する。
【００３５】
決定キーＣＫは、公知の決定キーの機能の他、プレイリスト一覧の中から再生対象のプレイリスト、又はコンテンツ一覧の中から再生対象のコンテンツを決定する。また、決定キーＣＫは、再生中は一時停止を指示し、停止中又は一時停止中は再生を指示する操作キーである。
【００３６】
以上のような操作性を実現するため、図１において、操作入力部１２０は、リモコン１２６における上方向キーＵＰ、下方向キーＤＮ、左方向キーＬＦ、右方向キーＲＴ、及び決定キーＣＫを介したユーザーによる操作入力を受け付ける。また、操作入力部１２０は、リモコン１２６における電源キーＰＯＦ、上下左右の方向キーＵＰ,ＤＮ,ＬＦ,ＲＴ、及び決定キーＣＫの各々に対応した操作パネル１２４の操作キーを介した操作入力も、リモコン１２６からの操作入力と同様に受け付ける。
以下では、リモコン１２６を介した操作入力を例に説明するが、操作パネル１２４を介した操作入力についても同様である。
【００３７】
コンテンツ選択処理部１３０は、操作入力部１２０により受け付けられた上方向キーＵＰ及び下方向キーＤＮを介した操作入力に基づいて、コンテンツ間を移動するコンテンツ移動モード、又はプレイリスト間を移動するプレイリスト移動モードを選択する。また、コンテンツ移動モードにおいて、コンテンツ選択処理部１３０は、操作入力部１２０により受け付けられた左方向キーＬＦ及び右方向キーＲＴを介した操作入力に基づいて、複数のコンテンツの１つを選択する。更に、プレイリスト移動モードにおいて、コンテンツ選択処理部１３０は、操作入力部１２０により受け付けられた左方向キーＬＦ及び右方向キーＲＴを介した操作入力に基づいて、複数のプレイリストの１つを選択する。
【００３８】
特殊再生モード選択部１４０は、操作入力部１２０により受け付けられた上方向キーＵＰ及び下方向キーＤＮを介した操作入力に基づいて、コンテンツ内の移動量又は移動速度が異なる複数の特殊再生モードの１つを選択して決定する。本実施形態における特殊再生モードは、具体的には、チャプター移動モード、シーン移動モード、スキップ３０秒移動モード、スキップ１５秒移動モード、トリックプレイモード、スロー再生モード、及び停止モードを含むものとする。
実行方向選択部１５０は、操作入力部１２０により受け付けられた左方向キーＬＦ及び右方向キーＲＴを介した操作入力に基づいて、特殊再生モード選択部１４０によって決定された特殊再生モードの実行方向を選択して決定する。
【００３９】
コンテンツ再生部１６０は、コンテンツ選択処理部１３０によって選択されたコンテンツを再生する。このとき、コンテンツ再生部１６０は、特殊再生モード選択部１４０により決定された特殊再生モードにおいて、実行方向選択部１５０によって決定された実行方向で上記のコンテンツを再生する。
特殊再生処理部１７０は、コンテンツ再生部１６０により再生されるコンテンツに対して特殊再生処理を行う。具体的には、特殊再生処理部１７０は、特殊再生モード選択部１４０により決定された特殊再生モード、及び実行方向選択部１５０によって決定された実行方向に基づいて、コンテンツに対して公知の特殊再生処理を行う。特殊再生処理部１７０は、通常再生が指定され特殊再生を行わないときは、コンテンツ再生部１６０により再生された画像データ等をそのまま出力する。
【００４０】
画像生成部１８０は、特殊再生処理部１７０からの画像データに基づいて画像を生成する。画像生成部１８０によって生成された画像は、表示部２００により出力される。
音声生成部１９０は、特殊再生処理部１７０からの音声データをＤ／Ａ変換し、Ｄ／Ａ変換後の音声データはスピーカー２１０により出力される。
なお、表示部２００及びスピーカー２１０の少なくとも一方は、コンテンツ再生装置１００に内蔵されてもよい。例えば、表示部２００及びコンテンツ再生装置１００を一体として、表示装置（例えば、プロジェクター）を構成することもできる。
【００４１】
次に、上記のような構成を有するコンテンツ再生装置１００の処理例について説明する。なお、コンテンツ再生装置１００の処理例を説明するのに先立って、本実施形態において定義される状態番号Ｍと速度番号Ｓについて説明する。
図５に、本実施形態における状態番号Ｍの説明図を示す。図５は、本実施形態において、上方向キーＵＰ及び下方向キーＤＮにより変更が可能な状態番号Ｍと、状態番号Ｍに応じた左方向キーＬＦ、右方向キーＲＴ又は決定キーＣＫの押下時の処理内容の説明図を表す。
図６に、本実施形態における速度番号Ｓの説明図を示す。図６は、本実施形態において、左方向キーＬＦ及び右方向キーＲＴにより変更が可能な速度番号Ｓの説明図を表す。
図７に、本実施形態のコンテンツ再生装置１００において、状態番号Ｍと速度番号Ｓとにより規定される特殊再生モードの説明図を示す。
【００４２】
図５に示すように、状態番号Ｍは、プレイリスト移動モード、コンテンツ移動モード、及び複数の特殊再生モードの各々のモードに対応している。具体的には、移動単位が最大のプレイリスト移動モードには、状態番号Ｍとして「８」が対応付けられ、コンテンツ移動モード、及び特殊再生モードの各々には、状態番号Ｍとして「７」から「０」までが順番に対応付けられる。
各モードでは、左方向キーＬＦ、右方向キーＲＴ、又は決定キーＣＫの押下時の処理内容が規定されており、処理内容によっては速度番号Ｓが参照される。
図６に示すように、速度番号Ｓは、実行方向及びコンテンツ内の移動速度に対応している。具体的には、未来方向の最大移動速度である４倍には、速度番号Ｓとして「６」が対応付けられ、２倍、１倍、逆方向１倍、逆方向２倍、逆方向４倍、及び一時停止の各々には、速度番号Ｓとして「５」から「０」までが順番に対応付けられる。なお、特殊再生モードがスロー再生モードのとき、１／４倍には速度番号Ｓとして「６」が、１／２倍には速度番号Ｓとして「５」が、逆方向１／２倍には速度番号Ｓとして「２」が、逆方向１／４倍には速度番号Ｓとして「１」が対応付けられる。
【００４３】
コンテンツ再生装置１００は、上記の状態番号Ｍ及び速度番号Ｓにより、トリックプレイモード及びスロー再生モードにおいて、図７に示すような特殊再生が可能となる。即ち、上方向キーＵＰ及び下方向キーＤＮと、左方向キーＬＦ及び右方向キーＲＴとにより、トリックプレイモード及びスロー再生モードにおいて、図７に示すような特殊再生が可能となる。
例えば、コンテンツを通常再生している状態である「再生状態」を１倍速早送りのトリックプレイ状態として、この状態に対応付ける状態番号Ｍ及び速度番号Ｓを、それぞれ「２」及び「４」とすることができる。また、「停止状態」に対応付ける状態番号Ｍ及び速度番号Ｓを、それぞれ「０」及び「０」とすることができる。また、「４倍速早戻しトリックプレイ状態」に対応付ける状態番号Ｍ及び速度番号Ｓを、それぞれ「２」及び「１」とすることができ、「１／４逆方向スロー再生状態」に対応付ける状態番号Ｍ及び速度番号Ｓを、それぞれ「１」及び「１」とすることができる。
【００４４】
図８に、本実施形態のコンテンツ再生装置１００の処理例のフロー図を示す。
図９に、図８のステップＳ１０の右方向キー処理の処理例のフロー図を示す。
図１０に、図８のステップＳ２０の左方向キー処理の処理例のフロー図を示す。
図１１に、図８のステップＳ３０の上方向キー処理の処理例のフロー図を示す。
図１２に、図８のステップＳ４０の下方向キー処理の処理例のフロー図を示す。
コンテンツ再生装置１００は、図示しない中央演算処理装置（Central Processing Unit：以下、ＣＰＵ）及びメモリーを有しており、ＣＰＵは、該メモリーに保存された以下の処理手順に対応したプログラムを読み込んで該プログラムに対応した処理を実行する。このようなＣＰＵ及びメモリーにより、操作入力部１２０、コンテンツ選択処理部１３０、特殊再生モード選択部１４０、実行方向選択部１５０、コンテンツ再生部１６０、及び特殊再生処理部１７０の各部の一部又は全部の機能が実現される。
【００４５】
まず、コンテンツ再生装置１００の各部を制御する上記のＣＰＵは、状態番号Ｍを「２」に初期化する（ステップＳ１）と共に、速度番号Ｓを「４」に初期化する（ステップＳ２）。
続いて、ＣＰＵは、処理が終了したか否かを判定する（ステップＳ３）。処理が終了したと判定されたとき（ステップＳ３：Ｙ）、ＣＰＵは、一連の操作指示処理を終了する（エンド）。
処理が終了していないと判定されたとき（ステップＳ３：Ｎ）、ＣＰＵは、右方向キーＲＴが押下されたか否かを判定する（ステップＳ４）。右方向キーＲＴが押下されたと判定されたとき（ステップＳ４：Ｙ）、ＣＰＵは、右方向キー処理を行い（ステップＳ１０）、ステップＳ３に戻る。
【００４６】
図９に示すように、右方向キー処理では、ＣＰＵは、状態番号Ｍが「１」以上で、且つ、「２」以下であるか否かを判定する（ステップＳ１１）。状態番号Ｍが「１」以上で、且つ、「２」以下であると判定されたとき（ステップＳ１１：Ｙ）、ＣＰＵは、速度番号Ｓが「４」より小さいか否かを判定する（ステップＳ１２）。速度番号Ｓが「４」より小さいと判定されたとき（ステップＳ１２：Ｙ）、ＣＰＵは、速度番号Ｓに「５」を設定する（ステップＳ１３）。
速度番号Ｓが「４」より小さくないと判定されたとき（ステップＳ１２：Ｎ）、ＣＰＵは、速度番号Ｓが「６」以上であるか否かを判定する（ステップＳ１４）。速度番号Ｓが「６」以上ではないと判定されたとき（ステップＳ１４：Ｎ）、ＣＰＵは、速度番号Ｓをインクリメントする（ステップＳ１５）。
状態番号Ｍが「１」以上で、且つ、「２」以下ではないと判定されたとき（ステップＳ１１：Ｎ）、又は速度番号Ｓが「６」以上であると判定されたとき（ステップＳ１４：Ｙ）、ＣＰＵは、ＲｉｇｈｔＰｒｏｃ［Ｍ］を実行する（ステップＳ１６）。また、ステップＳ１３又はステップＳ１５に続いて、ＣＰＵは、ＲｉｇｈｔＰｒｏｃ［Ｍ］を実行する（ステップＳ１６）。その後、ＣＰＵは、一連の右方向キー処理を終了する（エンド）。
【００４７】
ＲｉｇｈｔＰｒｏｃ［Ｍ］は、図５に規定されているように、状態番号Ｍに対応した右方向キー押下時の処理である。
状態番号Ｍが「８」のとき、カレントプレイリスト（現在選択されているプレイリスト）の次に登録されているプレイリストに選択対象を切り替え、次のプレイリストが存在しないとき、何も処理しない。
状態番号Ｍが「７」のとき、カレントコンテンツ（現在選択されているコンテンツ）の次に登録されているコンテンツに選択対象を切り替え、次のコンテンツが存在しないとき、何も処理しない。
状態番号Ｍが「６」のとき、カレントタイム(現在選択されているコンテンツにおける、現在再生されている位置)より未来方向にチャプターが存在するとき、未来方向の次のチャプターに再生位置を移動させ、次のチャプターが存在しないとき、何も処理しない。
状態番号Ｍが「５」のとき、カレントタイムより未来方向にシーンチェンジが存在するとき、未来方向の次のシーンチェンジ位置に再生位置を移動させ、次のシーンチェンジが存在しないとき、コンテンツの末尾に再生位置を移動させる。
状態番号Ｍが「４」のとき、カレントタイムより未来方向に３０秒以上の再生時間が存在するとき、（カレントタイム＋３０秒）の位置に再生位置を移動させ、３０秒以上の再生時間が存在しないとき、コンテンツの末尾に再生位置を移動させる。
状態番号Ｍが「３」のとき、カレントタイムより未来方向に１５秒以上の再生時間が存在するとき、（カレントタイム＋１５秒）の位置に再生位置を移動させ、１５秒以上の再生時間が存在しないとき、コンテンツの末尾に再生位置を移動させる。
状態番号Ｍが「２」のとき、図７に示すような速度番号Ｓでトリックプレイを行う。
状態番号Ｍが「１」のとき、図７に示すような速度番号Ｓでスロー再生を行う。
状態番号Ｍが「０」のとき、何も処理しない。
【００４８】
図８において、右方向キーＲＴが押下されなかったと判定されたとき（ステップＳ４：Ｎ）、ＣＰＵは、左方向キーＬＦが押下されたか否かを判定する（ステップＳ５）。左方向キーＬＦが押下されたと判定されたとき（ステップＳ５：Ｙ）、ＣＰＵは、左方向キー処理を行い（ステップＳ２０）、ステップＳ３に戻る。
【００４９】
図１０に示すように、左方向キー処理では、ＣＰＵは、状態番号Ｍが「１」以上で、且つ、「２」以下であるか否かを判定する（ステップＳ２１）。状態番号Ｍが「１」以上で、且つ、「２」以下であると判定されたとき（ステップＳ２１：Ｙ）、ＣＰＵは、速度番号Ｓが「４」より大きいか否かを判定する（ステップＳ２２）。速度番号Ｓが「４」より大きいと判定されたとき（ステップＳ２２：Ｙ）、ＣＰＵは、速度番号Ｓに「３」を設定する（ステップＳ２３）。
速度番号Ｓが「４」より大きくないと判定されたとき（ステップＳ２２：Ｎ）、ＣＰＵは、速度番号Ｓが「１」以下であるか否かを判定する（ステップＳ２４）。速度番号Ｓが「１」以下ではないと判定されたとき（ステップＳ２４：Ｎ）、ＣＰＵは、速度番号Ｓをデクリメントする（ステップＳ２５）。
状態番号Ｍが「１」以上で、且つ、「２」以下ではないと判定されたとき（ステップＳ２１：Ｎ）、又は速度番号Ｓが「１」以下であると判定されたとき（ステップＳ２４：Ｙ）、ＣＰＵは、ＬｅｆｔＰｒｏｃ［Ｍ］を実行する（ステップＳ２６）。また、ステップＳ２３又はステップＳ２５に続いて、ＣＰＵは、ＬｅｆｔＰｒｏｃ［Ｍ］を実行する（ステップＳ２６）。その後、ＣＰＵは、一連の左方向キー処理を終了する（エンド）。
【００５０】
ＬｅｆｔＰｒｏｃ［Ｍ］は、図５に規定されているように、状態番号Ｍに対応した左方向キー押下時の処理である。
状態番号Ｍが「８」のとき、カレントプレイリストの前に登録されているプレイリストに選択対象を切り替え、前のプレイリストが存在しないとき、何も処理しない。
状態番号Ｍが「７」のとき、カレントコンテンツの前に登録されているコンテンツに選択対象を切り替え、次のコンテンツが存在しないとき、何も処理しない。
状態番号Ｍが「６」のとき、カレントタイムより過去方向にチャプターが存在するとき、過去方向の前のチャプターに再生位置を移動させ、前のチャプターが存在しないとき、何も処理しない。
状態番号Ｍが「５」のとき、カレントタイムより過去方向にシーンチェンジが存在するとき、過去方向の前のシーンチェンジ位置に再生位置を移動させ、前のシーンチェンジが存在しないとき、コンテンツの先頭に再生位置を移動させる。
状態番号Ｍが「４」のとき、カレントタイムより過去方向に３０秒以上の再生時間が存在するとき、（カレントタイム−３０秒）の位置に再生位置を移動させ、３０秒以上の再生時間が存在しないとき、コンテンツの先頭に再生位置を移動させる。
状態番号Ｍが「３」のとき、カレントタイムより過去方向に１５秒以上の再生時間が存在するとき、（カレントタイム−１５秒）の位置に再生位置を移動させ、１５秒以上の再生時間が存在しないとき、コンテンツの先頭に再生位置を移動させる。
状態番号Ｍが「２」のとき、図７に示すような速度番号Ｓでトリックプレイを行う。
状態番号Ｍが「１」のとき、図７に示すような速度番号Ｓでスロー再生を行う。
状態番号Ｍが「０」のとき、何も処理しない。
【００５１】
図８において、左方向キーＬＦが押下されなかったと判定されたとき（ステップＳ５：Ｎ）、ＣＰＵは、上方向キーＵＰが押下されたか否かを判定する（ステップＳ６）。上方向キーＵＰが押下されたと判定されたとき（ステップＳ６：Ｙ）、ＣＰＵは、上方向キー処理を行い（ステップＳ３０）、ステップＳ３に戻る。
【００５２】
図１１に示すように、上方向キー処理では、状態番号Ｍが「８」以上であるか否かを判定する（ステップＳ３１）。状態番号Ｍが「８」以上ではないと判定されたとき（ステップＳ３１：Ｎ）、ＣＰＵは、状態番号Ｍをインクリメントし（ステップＳ３２）、一連の上方向キー処理を終了する（エンド）。
状態番号Ｍが「８」以上であると判定されたとき（ステップＳ３１：Ｙ）、ＣＰＵは、一連の上方向キー処理を終了する（エンド）。
【００５３】
図８において、上方向キーＵＰが押下されなかったと判定されたとき（ステップＳ６：Ｎ）、ＣＰＵは、下方向キーＤＮが押下されたか否かを判定する（ステップＳ７）。下方向キーＤＮが押下されたと判定されたとき（ステップＳ７：Ｙ）、ＣＰＵは、下方向キー処理を行い（ステップＳ４０）、ステップＳ３に戻る。
【００５４】
図１２に示すように、下方向キー処理では、状態番号Ｍが「０」以下であるか否かを判定する（ステップＳ４１）。状態番号Ｍが「０」以下ではないと判定されたとき（ステップＳ４１：Ｎ）、ＣＰＵは、状態番号Ｍをデクリメントし（ステップＳ４２）、一連の下方向キー処理を終了する（エンド）。
状態番号Ｍが「０」以下であると判定されたとき（ステップＳ４１：Ｎ）、ＣＰＵは、一連の下方向キー処理を終了する（エンド）。
【００５５】
図８において、下方向キーＤＮが押下されなかったと判定されたとき（ステップＳ７：Ｎ）、ＣＰＵは、決定キーＣＫが押下されたか否かを判定する（ステップＳ８）。決定キーＣＫが押下されたと判定されたとき（ステップＳ８：Ｙ）、ＣＰＵは、ＥｎｔｅｒＰｒｏｃ［Ｍ］を実行し（ステップＳ９）、ステップＳ３に戻る。
決定キーＣＫが押下されなかったと判定されたとき（ステップＳ８：Ｎ）、ＣＰＵは、ステップＳ３に戻る。
【００５６】
ＥｎｔｅｒＰｒｏｃ［Ｍ］は、図５に規定されているように、状態番号Ｍに対応した決定キー押下時の処理である。
状態番号Ｍが「１」〜「８」のいずれかの場合、速度番号Ｓが「０」ではないときに決定キーＣＫが押下されると速度番号Ｓは「０」に設定され、速度番号Ｓが「０」のときに決定キーＣＫが押下されると、速度番号Ｓは「４」に設定される。換言すれば、一時停止ではないときに決定キーＣＫが押下されると一時停止となり、一時停止のときに決定キーＣＫが押下されると速度１倍での再生（通常再生）が行われる。
状態番号Ｍが「０」の場合、決定キーＣＫが押下されると再生終了処理を行う。
【００５７】
なお、本実施形態において、ステップＳ３０及びステップＳ４０は、特殊再生モード選択ステップに相当する。ステップＳ１６及びステップＳ２６は、実行方向選択ステップに相当する。ステップＳ３０及びステップＳ４０において状態番号Ｍが「７」又は「８」のときのステップＳ１６及びステップＳ２６は、コンテンツ選択処理ステップに相当する。こうして、コンテンツ再生装置１００は、コンテンツ再生ステップとして、コンテンツ選択処理ステップにおいて選択されたコンテンツ、又は選択されたプレイリスト内のコンテンツを、特殊再生モード選択ステップにおいて決定された特殊再生モードにおいて、実行方向選択ステップにおいて決定された実行方向で再生する。
【００５８】
上記のような図８〜図１２のフローに従って処理を行うコンテンツ再生装置１００は、次のような動作を行う。
【００５９】
図１３（Ａ）、図１３（Ｂ）に、本実施形態におけるコンテンツ再生装置１００の第１の動作説明図を示す。図１３（Ａ）は、各状態において、上方向キーＵＰ及び下方向キーＤＮによりモードが切り替えられて右方向キーＲＴが押下されたときの動作説明図の前半部分を表す。図１３（Ｂ）は、上方向キーＵＰ及び下方向キーＤＮによりモードが切り替えられて右方向キーＲＴが押下されたときの動作説明図の後半部分を表す。
図１３（Ａ）及び図１３（Ｂ）において、一番左の欄に、現在の状態（停止状態、各種トリックプレイ状態、各種スロー再生状態）を表し、横方向に、上方向キーＵＰ及び下方向キーＤＮにより切り替えられたモードを表す。例えば、現在、再生状態のとき、上方向キーＵＰ及び下方向キーＤＮによりトリックプレイモードに切り替えられて、右方向キーＲＴが押下されると、２倍速早送り再生に切り替えられることを示している。また、例えば、現在、１／４逆方向スロー再生状態のとき、上方向キーＵＰ及び下方向キーＤＮによりスキップ３０秒移動モードに切り替えられて、右方向キーＲＴが押下されると、３０秒未来方向に再生位置を移動後に再生されることを示している。
【００６０】
このとき、本実施形態では、トリックプレイモード（状態番号Ｍが「２」）において、右方向キーＲＴが押下されると、順方向のトリックプレイ状態では再生速度が上がる。また、逆方向のトリックプレイ状態では、２倍速早送りトリックプレイ状態（Ｓ＝５）に切り替えることができる。また、スロー再生モード（状態番号Ｍが「１」）において、右方向キーＲＴが押下されると、順方向のスロー再生状態ではスロー再生速度が下がり、逆方向のスロー再生状態では、１／２倍順方向スロー再生状態に切り替えることができる。
【００６１】
図１４（Ａ）、図１４（Ｂ）に、本実施形態におけるコンテンツ再生装置１００の第２の動作説明図を示す。図１４（Ａ）は、各状態において、上方向キーＵＰ及び下方向キーＤＮによりモードが切り替えられて左方向キーＬＦが押下されたときの動作説明図の前半部分を表す。図１４（Ｂ）は、各状態において、上方向キーＵＰ及び下方向キーＤＮによりモードが切り替えられて左方向キーＬＦが押下されたときの動作説明図の後半部分を表す。
図１４（Ａ）及び図１４（Ｂ）において、一番左の欄に、現在の状態（停止状態、各種トリックプレイ状態、各種スロー再生状態）を表し、横方向に、上方向キーＵＰ及び下方向キーＤＮにより切り替えられたモードを表す。例えば、現在、２倍速早戻しトリックプレイ状態のとき、上方向キーＵＰ及び下方向キーＤＮによりトリックプレイモードに切り替えられて、左方向キーＬＦが押下されると、４倍速早戻し再生に切り替えられることを示している。また、例えば、現在、１／４倍逆方向スロー再生状態のとき、上方向キーＵＰ及び下方向キーＤＮによりスキップ１５秒移動モードに切り替えられて、左方向キーＬＦが押下されると、１５秒過去方向に再生位置を移動後に再生されることを示している。
【００６２】
このとき、本実施形態では、トリックプレイモード（状態番号Ｍが「２」）において、左方向キーＬＦが押下されると、未来方向のトリックプレイ状態では、１倍速戻し再生状態（逆方向再生状態、つまりＳ＝３である状態）に切り替えることができる。また、過去方向のトリックプレイ状態では再生速度が下がる（逆方向の再生速度が上がる）。また、スロー再生モード（状態番号Ｍが「１」）において、左方向キーＬＦが押下されると、未来方向のスロー再生状態では１倍速戻し再生状態に切り替えることができる。また、過去方向のスロー再生状態では、スロー再生速度が下がる。
【００６３】
以上説明したように、本実施形態では、上方向キーＵＰ及び下方向キーＤＮを介した操作入力に基づいて、コンテンツ内の移動量又は移動速度が異なる複数の特殊再生モードの１つを特殊再生モード選択部１４０が選択する。また、左方向キーＬＦ及び右方向キーＲＴを介した操作入力に基づいて、特殊再生モードの実行方向を実行方向選択部１５０が選択する。こうすることで、４つの操作キーを介したユーザーの操作入力により、瞬時に特殊再生モードの指定が可能となり、操作性の低下を招くことなく、より少ない操作キーで特殊再生機能の実行を実現することができるようになる。
このとき、特殊再生モードとして、移動量が異なる複数のスキップ移動モードを設け、上方向キーＵＰ及び下方向キーＤＮにより指定することができるようにしたので、移動量を新たに指定することなく、いち早くユーザーに移動先のシーンを見せることができる。
【００６４】
更に、コンテンツ選択処理部１３０により、上方向キーＵＰ及び下方向キーＤＮを介した操作入力に基づいて、コンテンツ間を移動するコンテンツ移動モード、又はプレイリスト移動モードを選択する。そして、コンテンツ選択処理部１３０は、左方向キーＬＦ及び右方向キーＲＴを介した操作入力に基づいて、複数のコンテンツの１つ、又は複数のプレイリストの１つを選択し、決定キーＣＫにより決定する。こうすることで、５つの操作キーにより、操作性の低下を招くことなく、より少ない操作キーで、特殊再生モードの指定のみならず、コンテンツ間の移動や、プレイリスト間の移動を実現することができるようになる。
【００６５】
なお、本実施形態では、状態番号Ｍと速度番号Ｓとに区分して、図５に示す各モードを切り替えるようにしたので、将来のモード追加が非常に容易となり、処理の拡張性に富む構成のコンテンツ再生装置を提供することができるようになる。例えば、４倍速の次に８倍速を設ける場合でも、速度番号Ｓの取り得る値を変更すればよい。従って、モードの追加等により多機能化した場合でも、操作性の低下を招くことなく、より少ない操作キーで特殊再生機能の実行を実現することができるようになる。
【００６６】
〔第１の変形例〕
本実施形態におけるリモコン１２６は、図２に示したものを例に説明したが、本発明に係る実施形態は、これに限定されるものではない。
図１５に、本実施形態の第１の変形例におけるリモコンの構成例の概要を示す。図１５は、第１の変形例におけるリモコンを上面から見た構成を模式的に表している。図１５において、図２と同様の部分には同一符号を付し、適宜説明を省略する。
第１の変形例におけるリモコン１２６ａは、リモコン１２６に代えて図１のコンテンツ再生装置１００に適用することができる。リモコン１２６ａがリモコン１２６と異なる点は、上方向キーＵＰ、下方向キーＤＮ、左方向キーＬＦ、及び右方向キーＲＴがリング状に形成されている点である。それ以外の点では、本実施形態と同様であるため、詳細な説明を省略する。
【００６７】
〔第２の変形例〕
本実施形態又はその第１の変形例におけるリモコンは、上方向キーＵＰ、下方向キーＤＮ、左方向キーＬＦ、右方向キーＲＴ、及び決定キーＣＫが専用に設けられた操作キーである例を説明したが、本発明に係る実施形態は、これに限定されるものではない。
図１６（Ａ）、図１６（Ｂ）に、本実施形態の第２の変形例におけるリモコンの構成例の概要を示す。図１６（Ａ）は、電話タイプのテンキーを有するリモコンを上面から見た構成を模式的に表している。図１６（Ｂ）は、ＰＣタイプのテンキーを有するリモコンを上面から見た構成を模式的に表している。図１６（Ａ）、図１６（Ｂ）において、図２と同様の部分には同一符号を付し、適宜説明を省略する。
【００６８】
図１６（Ａ）に示すリモコン１２６ｂは、リモコン１２６に代えて図１のコンテンツ再生装置１００に適用することができる。リモコン１２６ｂは、電源キーＰＯＦと、「０」キー〜「９」キー、「＊」キー、及び「＃」キーにより構成されるテンキーとを備えている。ここで、「２」キーを上方向キーＵＰ、「８」キーを下方向キーＤＮ、「４」キーを左方向キーＬＦ、「６」キーを右方向キーＲＴ、「５」キーを決定キーＣＫに割り当てることで、本実施形態と同様の機能を実現することができる。
図１６（Ｂ）に示すリモコン１２６ｃは、リモコン１２６に代えて図１のコンテンツ再生装置１００に適用することができる。リモコン１２６ｃは、電源キーＰＯＦと、「０」キー〜「９」キー、及び「．」キーにより構成されるテンキーとを備えている。ここで、「８」キーを上方向キーＵＰ、「２」キーを下方向キーＤＮ、「４」キーを左方向キーＬＦ、「６」キーを右方向キーＲＴ、「５」キーを決定キーＣＫに割り当てることで、本実施形態と同様の機能を実現することができる。
【００６９】
以上、本発明に係るコンテンツ再生装置、表示装置及びコンテンツ再生方法等を上記の実施形態又はその変形例に基づいて説明したが、本発明は上記の実施形態又はその変形例に限定されるものではない。例えば、その要旨を逸脱しない範囲において種々の態様において実施することが可能であり、次のような変形も可能である。
【００７０】
（１）本実施形態又はその変形例では、スキップ３０秒移動モード及びスキップ１５秒移動モードがそれぞれ第１の特殊再生モード及び第２の特殊再生モードに対応する例を説明した。しかしながら、本発明に係る実施形態は、これらに限定されるものではない。例えば、第１の特殊再生モード及び第２特殊再生モードは、それぞれ移動速度が異なるトリックプレイモード（２倍速早送りのトリックプレイモードと、４倍速早送りのトリックプレイモードなど）であっても良い。
【００７１】
（２）本実施形態又はその変形例では、上方向キーＵＰ及び下方向キーＤＮにより、プレイリスト移動モード、コンテンツ移動モード、チャプター移動モード、シーン移動モード、スキップ３０秒移動モード、スキップ１５秒移動モード、トリックプレイモード、スロー再生モード、及び停止モードを切り替える例を説明した。しかしながら、本発明に係る実施形態は、これらに限定されるものではなく、上記のモードに、他のモードを追加した場合でも同様に実現することができる。また、上記のモードのうち少なくとも１つのモードを省いた場合でも、同様に実現することができる。
【００７２】
（３）本実施形態又はその変形例では、コンテンツ再生装置を例に説明したが、本発明は、これに限定されるものではない。例えば、コンテンツ再生装置の機能を有する画像表示装置に適用することができる。
【００７３】
（４）本実施形態又はその変形例において、ユーザーは、主として、リモコンを介して操作入力を行うものとして説明したが、本発明は、これに限定されるものではない。コンテンツ再生装置が備える操作部（例えば、操作パネル１２４）を介した操作入力についても、適用することができることは言うまでもない。
【００７４】
（５）本実施形態又はその変形例において、上記の機能をハードウェアのみで実現したり、ハードウェア及びソフトウェアを組み合わせて実現したりしてもよい。
【００７５】
（６）上記の実施形態又はその変形例において、本発明をコンテンツ再生装置、及びコンテンツ再生方法等として説明したが、本発明は、これに限定されるものではない。例えば、本発明に係るコンテンツ再生方法の処理手順が記述されたプログラム、このプログラムが記録された記録媒体であってもよい。
【符号の説明】
【００７６】
１００…コンテンツ再生装置、  １１０…コンテンツ保存部、
１２０…操作入力部、  １２２…受信部、  １２４…操作パネル、
１２６，１２６ａ，１２６ｂ，１２６ｃ…リモコン、  １３０…コンテンツ選択処理部、
１４０…特殊再生モード選択部、  １５０…実行方向選択部、
１６０…コンテンツ再生部、  １７０…特殊再生処理部、  １８０…画像生成部、
１９０…音声生成部、  ２００…表示部、  ２１０…スピーカー、  ＤＮ…下方向キー、
ＬＦ…左方向キー、  Ｍ…状態番号、  ＰＯＦ…電源キー、  ＲＴ…右方向キー、
Ｓ…速度番号、  ＵＰ…上方向キー
【図１】
0005803603.tif 000002
【図２】
0005803603.tif 000003
【図３】
0005803603.tif 000004
【図４】
0005803603.tif 000005
【図５】
0005803603.tif 000006
【図６】
0005803603.tif 000007
【図７】
0005803603.tif 000008
【図８】
0005803603.tif 000009
【図９】
0005803603.tif 000010
【図１０】
0005803603.tif 000011
【図１１】
0005803603.tif 000012
【図１２】
0005803603.tif 000013
【図１３】
0005803603.tif 000014
【図１４】
0005803603.tif 000015
【図１５】
0005803603.tif 000016
【図１６】
0005803603.tif 000017